(57)【要約】      （修正有）【課題】濃淡斑点模様が表れた和紙糸で製造することにより色彩のコントラストや立体感に富んだ斬新性のあるスペック染め和紙糸製帽子を提供する。【解決手段】スペック染め和紙糸製帽子にはクラウン部と鍔部が形成されている。スペック染め和紙糸製帽子を形成する和紙糸１８は和紙１６で形成された和紙テープに撚りをかけて製造され、スペック染めが施されている。このため和紙糸には濃淡斑点模様２０が表れ、和紙糸を編んで製造されたスペック染め和紙糸製帽子の表面には濃淡斑点模様が表れる。【選択図】図４
0003186681.tif 000002
【実用新案登録請求の範囲】
【請求項１】
クラウン部と鍔部とから成る帽子において、スペック染めして濃淡斑点模様が表れた和紙糸で前記クラウン部と鍔部を形成したことを特徴とするスペック染め和紙糸製帽子。
【請求項２】
クラウン部と鍔部とから成る帽子において、和紙を撚って製造された和紙糸にスペック染めして濃淡斑点模様が表れた和紙糸で前記クラウン部と鍔部を形成したことを特徴とするスペック染め和紙糸製帽子。
【請求項３】
クラウン部と鍔部とから成る帽子において、スペック染めして濃淡斑点模様が表れた和紙糸でブレードを製造し、このブレードで前記クラウン部と鍔部を形成したことを特徴とするスペック染め和紙糸製帽子。
【請求項４】
前記和紙糸に耐水性強化剤及び紫外線遮断剤を配合したことを特徴とする請求項１、請求項２、請求項３のいずれか１項に記載したことを特徴とするスペック染め和紙糸製帽子。
【考案の詳細な説明】
【技術分野】
【０００１】
本考案は、帽子に関し、詳しくはスペック染めされた和紙糸によって製造されたスペック染め和紙糸製帽子に関する。
【背景技術】
【０００２】
従来より和紙糸を編んで製造された和紙糸製帽子が知られている。
この和紙糸製帽子は単一色が染められた和紙糸を編んでクラウン部及び鍔部を形成することにより製造されている。
このため、和紙糸製帽子を構成する和紙糸は単一色であるため、和紙糸製帽子も色彩が単一色で単調になり、立体感に欠けた面白みの無いものになる。
この結果、前記和紙糸製帽子を見た取引者、消費者に対しも単調で立体感、斬新性がなく、面白みに欠けるというマイナスの印象を与えている。
【考案の概要】
【考案が解決しようとする課題】
【０００３】
本考案は、上記事実に鑑みなされたものであり、スペック染めして濃淡斑点模様が表れた和紙糸で製造することにより、色彩のコントラストや立体感が増すと共に斬新性のあるスペック染め和紙糸製帽子を提供するものである。
【課題を解決するための手段】
【０００４】
請求項１の考案は、クラウン部と鍔部とから成る帽子において、スペック染めして濃淡斑点模様が表れた和紙糸で前記クラウン部と鍔部を形成したことを特徴としている。
請求項２の考案は、クラウン部と鍔部とから成る帽子において、和紙を撚って製造された和紙糸にスペック染めして濃淡斑点模様が表れた和紙糸で前記クラウン部と鍔部を形成したことを特徴としている。
請求項３の考案は、クラウン部と鍔部とから成る帽子において、スペック染めして濃淡斑点模様が表れた和紙糸でブレードを製造し、このブレードで前記クラウン部と鍔部を形成したことを特徴としている。
請求項４の考案は、前記和紙糸に耐水性強化剤及び紫外線遮断剤を配合したことを特徴としている。
【考案の効果】
【０００５】
本考案のスペック染め和紙製帽子は、濃淡斑点模様が表れるので色彩のコントラストと色味に深みが出て色の濃淡により立体感や斬新性が発揮されて外観品質が向上するという優れた効果を有する。
本考案のスペック染め和紙製帽子は、外観品質が向上するので取引者、消費者の購買意欲を喚起させるという優れた効果を有する。
請求項４のスペック染め和紙製帽子は、上記優れた効果の他に耐水性に優れると共に紫外線を可及的に遮断できるという優れた効果を有する。
【図面の簡単な説明】
【０００６】
【図１】実施例のスペック染め和紙糸製帽子の一部拡大図である。
【図２】実施例のスペック染め和紙糸製帽子の全体斜視図である。
【図３】実施例のスペック染め和紙糸製帽子に使用される和紙糸を製造している状態斜視図である。
【図４】実施例のスペック染め和紙糸製帽子に使用される和紙糸の一部斜視図である。
【図５】実施例のスペック染め和紙糸製帽子をブレードで形成する場合に使用されるブレードの一部概略正面図である。
【考案を実施するための形態】
【０００７】
考案を実施するために最良の形態の例として以下のような実施例を示す。
【実施例１】
【０００８】
図１〜図４には本考案に係るスペック染め和紙糸製帽子１０の実施例が示されている。
図２に示されるように、本考案に係るスペック染め和紙糸製帽子１０が全体斜視図で示されている。なお、この実施例では婦人用帽子に適用されたスペック染め和紙糸製帽子１０が示されている。
前記スペック染め和紙糸製帽子１０の中央部には頭部が入るクラウン部１２が形成され、クラウン部１２の下部にはクラウン部１２を囲むように鍔部１４が連続形成されている。また、前記クラウン部１２に内側下部にはスベリ（図示せず）が環状に設けられており、前記スペック染め和紙糸製帽子１０を被り易くしている。
前記スペック染め和紙糸製帽子１０のクラウン部１２と鍔部１４は図４に示される和紙１６から成る和紙糸１８を編んで形成されている。
図３に示されるように、和紙１６をテープ状にカットした和紙テープ１６Ａに撚糸機で撚りをかけることにより和紙糸１８が製造されるようになっている。
この製造された和紙糸１８には公知のスペック染めが施されている。この実施例では薄紫色の色彩でスペック染めされている。
このため、図４に示されるようにスペック染めされた前記和紙糸１８には薄紫色の地１９に薄紫色の濃淡斑点模様２０が表れる。
この結果、図１に示されるように、前記和紙糸１８を編んで製造されたスペック染め和紙糸製帽子１０の表面には薄紫色の地１９に薄紫色の濃淡斑点模様２０が多数表れる。
これにより、スペック染め和紙糸製帽子１０に色彩に深みが出て色の濃淡により立体感や斬新性が発揮されて外観品質が向上する。
また、前記和紙糸１８には公知の耐水性強化剤と公知の紫外線遮断剤が配合されている。前記和紙糸１８に耐水性強化剤が配合されたことにより、和紙糸１８は耐水性を有している。また、前記和紙糸１８に紫外線遮断剤が配合されたことにより、和紙糸１８は紫外線遮断性を有している。
この結果、前記スペック染め和紙糸製帽子１０は高い耐水性と高い紫外線遮断性を有している。
【０００９】
スペック染め和紙糸製帽子１０を製造する場合は、楮等の植物から採れるセルロース繊維等を水中で均一に分散させてから、網等で水だけを通過させて繊維同士を絡み合わせて繊維を薄く平らにして、薄く平らにした繊維を乾燥させる公知の和紙製造方法で和紙１６を製造する。
製造された前記和紙１６をテープ状にカットして和紙テープ１６Ａを製造する。
次に、この和紙テープ１６Ａを特殊溶液に浸して撚糸機で和紙テープ１６Ａに撚りをかける水撚り製法で和紙糸１８を製造する。なお、水撚り製法で和紙糸１８を製造することにより、軽くて通気性等に富むと共に毛羽の無い肌に優しい和紙糸１８を製造することができる。
次に、前記和紙糸１８に公知のスペック染めを薄紫色で行う。このスペック染めを行うことにより、前記和紙糸１８には薄紫色の地１９に薄紫色の濃淡斑点模様２０が表れる。なお、スペック染めは手作業で行われるので、和紙糸１８に表れる濃淡斑点模様２０は和紙糸１８毎に全て異なるため、希少性がある。
そして、前記和紙糸１８に耐水性強化剤としての湿潤紙力増強剤を配合すると共に紫外線遮断剤を配合する。これにより、製造された和紙糸１８は耐水性が高くなると共に紫外線の遮断性も高くなる。
そして、前記和紙糸１８を３本〜４本を束ねて、束ねた和紙糸１８でクラウン部１２及び鍔部１４を編むことにより前記スペック染め和紙糸製帽子１０が製造される。
【００１０】
次に、実施例のスペック染め和紙糸製帽子１０の作用について説明する。
スペック染め和紙糸製帽子１０を構成する和紙糸１８には薄紫色の地１９に薄紫色の濃淡斑点模様２０が表れるので、図１に示されるようにスペック染め和紙糸製帽子１０の表面にも薄紫地色に薄紫の濃淡斑点模様２０が表れる。
従って、スペック染め和紙糸製帽子１０は薄紫色の地１９に薄紫の濃淡斑点模様２０が表れるので紫のコントラストとなり単色と異なり、色彩に深みが出て色の濃淡により立体感が出る。また、スペック染め和紙糸製帽子１０に濃淡斑点模様２０が表れることにより、風合が良くなり外観品質が向上する。
この結果、スペック染め和紙糸製帽子１０を見た取引者、消費者に対し従来の和紙糸製帽子と異なる斬新な印象を与えることができ、取引者、消費者に対し購買意欲を喚起させることになる。
しかも、スペック染めは手作業で行うので、和紙糸１８に表れる濃淡斑点模様２０は全て異なるので、スペック染め和紙糸製帽子１０は一品製作物となり希少性がある。
また、前記スペック染め和紙糸製帽子１０を構成する和紙糸１８は耐水性が高いため、外出時等に雨に降られてスペック染め和紙糸製帽子１０が濡れてもスペック染め和紙糸製帽子１０が破れたりするのを防ぐことができる。
また、スペック染め和紙糸製帽子１０を家庭においても洗濯できるので、常に清潔に保つことができると共に家庭で洗濯できるので経済的である。なお、調査機関でスペック染め和紙糸製帽子１０の洗濯試験を行ったところ５回連続して洗濯してもスペック染め和紙糸製帽子１０には何らの不具合も生じなかった。
また、前記スペック染め和紙糸製帽子１０を構成する和紙糸１８は紫外線遮断性が高いため、夏等の陽射しの強い季節に外出してもスペック染め和紙糸製帽子１０を被ることにより紫外線を可及的に遮断することができ、日焼け防止や肌のトラブル予防にも効果的である。
【００１１】
図５には前記スペック染め和紙糸製帽子１０をブレード３０で形成する場合のブレード３０の一部概略正面図が示されている。
図５に示されるように、前記ブレード３０は前記和紙糸１８を帯状に編んで形成されている。このため、ブレード３０にも和紙糸１８の薄紫色の地１９に薄紫色の濃淡斑点模様２０が表れる。
このブレード３０をスペック染め和紙糸製帽子１０の平面から見て螺旋状に巻回されるように配置することにより前記クラウン部１２と前記鍔部１４を形成して前記スペック染め和紙糸製帽子１０を製造してもよい。
【００１２】
なお、実施例では水撚り製法で和紙テープ１６Ａに撚りをかけて和紙糸１８を製造したが、水撚り製法に限定されるものでなく、ドライ撚り製法等で和紙テープ１６Ａに撚りをかけて和紙糸１８を製造してもよいことは勿論である。
また、実施例では前記スペック染め和紙糸製帽子１０を前記和紙糸１８だけを編んでスペック染め和紙糸製帽子１０を製造したり前記和紙糸１８だけを編んでブレード３０を形成してスペック染め和紙糸製帽子１０を製造した場合を示したが、例えば前記和紙糸１８とスペック染めされていない糸とを編んでスペック染め和紙糸製帽子を製造したり、あるいは前記和紙糸１８と和紙以外の材料で製造された糸を混ぜて編んでスペック染め和紙糸製帽子１０を製造したり、あるいは前記和紙糸１８とスペック染めされていない糸でブレード３０を形成してスペック染め和紙糸製帽子１０を製造したり、あるいは前記和紙糸１８と和紙以外の材料で製造された糸を混ぜて編んだブレード３０でスペック染め和紙糸製帽子１０を製造してもよいことは勿論である。
【００１３】
なお、実施例ではスペック染めを薄紫色で行う場合を示したが、このスペック染めを行う色彩は薄紫色に限定されるものでなく、他の色彩でスペック染めを行ってもよいことは勿論である。
また、スペック染め和紙糸製帽子１０は実施例に示した形状の帽子に限定されるものでなく、クラウン部及び鍔部を有している帽子であれば他の形状の帽子でもよいことは勿論である。
【産業上の利用可能性】
【００１４】
本考案のスペック染め和紙糸製帽子は、婦人用帽子だけでなく男性用帽子や子供用帽子にも使用することができる。
【符号の説明】
【００１５】
１０    スペック染め和紙糸製帽子
１２    クラウン部
１４    鍔部
１６    和紙
１６Ａ  和紙テープ
１８    和紙糸
１９    地
２０    濃淡斑点模様
３０    ブレード
【図１】
0003186681.tif 000003
【図２】
0003186681.tif 000004
【図３】
0003186681.tif 000005
【図４】
0003186681.tif 000006
【図５】
0003186681.tif 000007